(57)【要約】【課題】  本発明はウッドのゴルフクラブに係り、ネック部をグースネックとしたゴルフクラブに改良を加え、アドレス時にヘッドの方向が出し易いウッドのゴルフクラブを提供することを目的とする。【解決手段】  ヘッドのクラウン部のヒール側に、該クラウン部より上方に突出するネック部を形成し、該ネック部にシャフトを挿着したウッドのゴルフクラブに於て、前記ネック部を、少なくとも一部がヘッドのフェース部より打球方向側に膨出するグースネックに形成し、前記フェース部の上部のトップラインに沿って、ヘッドのトゥ側からヒール側に明度の高い部分と明度の低い部分とで区分された明度境界ラインを形成すると共に、該明度境界ラインを、前記ネック部のクラウン部より突出した位置まで直線状に延長形成したことを特徴とする。【選択図】    図１
2009034227.tif 000002
【特許請求の範囲】
【請求項１】
ヘッドのクラウン部のヒール側に、該クラウン部より上方に突出するネック部を形成し、該ネック部にシャフトを挿着したウッドのゴルフクラブに於て、
前記ネック部を、少なくとも一部がヘッドのフェース部より打球方向側に膨出するグースネックに形成し、
前記フェース部の上部のトップラインに沿って、ヘッドのトゥ側からヒール側に明度の高い部分と明度の低い部分とで区分された明度境界ラインを形成すると共に、
該明度境界ラインを、前記ネック部のクラウン部より突出した位置まで直線状に延長形成したことを特徴とするウッドのゴルフクラブ。
【請求項２】
前記フェース部と、該フェース部のヒール側下方からネック部のクラウン部より高い位置まで明度を高く配色し、該配色部分と前記明度境界ラインを、ヘッドの上方からの平面視で視認可能としたことを特徴とする請求項１に記載のウッドのゴルフクラブ。
【請求項３】
前記明度境界ラインを、前記ネック部からシャフトに延長形成したことを特徴とする請求項１または請求項２に記載のウッドのゴルフクラブ。
【発明の詳細な説明】
【技術分野】
【０００１】
本発明はゴルフクラブに係り、詳しくはドライバーやフェアウェイウッド等のウッドのゴルフクラブに関する。
【背景技術】
【０００２】
従来、ゴルフクラブには、アイアンやウッド，パターといった用途に応じた様々なゴルフクラブが存在している。
【０００３】
アイアンのゴルフクラブは短い距離を狙うため、ウッドのゴルフクラブに比べフェース面（フェース部）のロフトが大きく、また、狙う飛距離が短いためにクラブ長が短く形成されている。
【０００４】
そして、ボールに対してヘッドが鋭角的にヒットされるため、多少地面に触れても抵抗が少ないようにソールは薄く形成されている。また、ソールが薄いと、シャフトに対して重心位置が浅くなってしまうため、アイアンのヘッドは、シャフトを挿着するネック部がオフセット、即ち、フェース面より打球方向側に膨出するグースネックとされている。
【０００５】
一方、ドライバーやフェアウェイウッドといったウッドのゴルフクラブは狙う飛距離が長いため、クラブ長が長く、また、ボールに対してヘッドが鈍角的にヒットされるため、地面をソールが滑るようにソール部が幅広く設計されている。そして、ウッドの場合はシャフトに対し重心位置が深くなっているため、通常、ネック部はアイアンの如くグースネックとされていない。
【０００６】
ところで、最近、シャフトに対してより後方に重心を設定するため、フェアウェイウッドでもネック部をグースネックとしたものや、アイアンとウッドの中間的性質を持つものとして、ネック部をグースネックとしたウッドのユーティリティークラブが登場している。
【０００７】
しかし、アイアンのゴルフクラブに比べロフトが立っているウッドのゴルフクラブは、フェース面の向きを認識するのにリーディングエッジでは難しく、このため、多くのゴルファーは、ヘッドのトップラインでフェース面の方向を合わせることが多いが、ネック部がグースネックとされていると、トップラインがヒール側で急激に湾曲してヘッドの方向を取り難いという欠点があった。
【０００８】
尚、特許文献１には、図１０に示すようにシャフト１の表面に、該シャフト１の上死点標識Ａと、該上死点標識Ａから時計回り方向へ約８５°の位置にある標識Ｂと、上死点標識Ａから反時計回り方向へ約８５°の位置にある標識Ｃを直線状に付し、ヘッド３のフェース面５が打球方向に対して直角であるか、または、約２°〜１０°の範囲でシャフト１を回転させてヘッド３が開放或いは閉じた状態にあるとき、前記標識Ａ〜Ｃが上方から同時に見えるようにしたゴルフクラブ７が開示されている。
【特許文献１】特開平４−２７６２７４号公報
【発明の開示】
【発明が解決しようとする課題】
【０００９】
しかし乍ら、既述したように、通常、ゴルファーは、アドレス時にヘッドのトップラインでフェース面の方向を合わせるのが一般的である。
【００１０】
このため、前記ゴルフクラブ７の如くヘッド３のトップライン９と離間してシャフト１に標識Ａ〜Ｃを付した構造にあっては、トップライン９と標識Ａ〜Ｃとの位置合わせが難しく、ヘッド３の方向が出し難いのが実情であった。
【００１１】
本発明は斯かる実情に鑑み案出されたもので、ネック部をグースネックとしたウッドのゴルフクラブに改良を加え、アドレス時にヘッドの方向が出し易いウッドのゴルフクラブを提供することを目的とする。
【課題を解決するための手段】
【００１２】
斯かる目的を達成するため、請求項１に係る発明は、ヘッドのクラウン部のヒール側に、該クラウン部より上方に突出するネック部を形成し、該ネック部にシャフトを挿着したウッドのゴルフクラブに於て、前記ネック部を、少なくとも一部がヘッドのフェース部より打球方向側に膨出するグースネックに形成し、前記フェース部の上部のトップラインに沿って、ヘッドのトゥ側からヒール側に明度の高い部分と明度の低い部分とで区分された明度境界ラインを形成すると共に、該明度境界ラインを、前記ネック部のクラウン部より突出した位置まで直線状に延長形成したことを特徴とする。
【００１３】
そして、請求項２に係る発明は、請求項１に記載のウッドのゴルフクラブに於て、前記フェース部と、該フェース部のヒール側下方からネック部のクラウン部より高い位置まで明度を高く配色し、該配色部分と前記明度境界ラインを、ヘッドの上方からの平面視で視認可能としたことを特徴とし、請求項３に係る発明は、請求項１または請求項２に記載のウッドのゴルフクラブに於て、前記明度境界ラインを、前記ネック部からシャフトに延長形成したことを特徴とする。
【発明の効果】
【００１４】
請求項１に係る発明によれば、アドレス時にトップラインに沿ったヘッド側の水平方向の明度境界ラインと、ネック部側の垂直方向のトップラインが上方からの平面視で一直線上に視認できるように構えることで、ヘッドを打球方向に対し適正に構えることができる。
【００１５】
そして、請求項２に係る発明によれば、ネック部下方を含む広いフェース面が見えるため、安心して構えることができ打ち易いゴルフクラブとなる。
【００１６】
更に、請求項３に係る発明によっても、ヘッドを適正に構えることができるが、明度境界ラインがシャフトに亘って延長形成されているため、更にヘッドの方向出しがし易くなる利点を有する。
【発明を実施するための最良の形態】
【００１７】
以下、本発明の実施形態を図面に基づいて詳細に説明する。
【００１８】
図１乃至図９は請求項１乃至請求項３に係る発明をフェアウェイウッドに適用した一実施形態を示し、図１乃至図３に示すように繊維強化樹脂や金属で形成されたシャフト１１の先端にヘッド１３が取り付き、シャフト１１の後端側にグリップ（図示せず）が取り付いてフェアウェイウッド１５が形成されている。そして、図２に示すようにフェアウェイウッド１５のライ角αは、ヘッド１３が接する水平基準面Ｌとシャフト軸芯Ｓとで設定される。
【００１９】
図４乃至図９に示すように前記ヘッド１３は、フェース側開口部（図示せず）を除き、クラウン部（トップ部）１７やサイド部１９，ソール部２１等がチタン合金で一体に鋳造された中空な外殻体からなるヘッド本体２３と、フェース側開口部に取り付くフェースプレート２５で構成されており、フェースプレート２５は、フェース側開口部の形状に沿ってチタン合金等の金属材料を塑性加工（圧延やプレス成形）して形成されている。
【００２０】
そして、斯様にフェース側開口部にフェースプレート２５が取り付いて、打球面として機能するヘッド１３のフェース部２７が形成されており、ヘッド１３はトップ，ソール方向に比べトゥ，ヒール方向が長い扁平で高さが低く幅広な形状となっている。そして、クラウン部１７のヒール側に、シャフト１１を挿着するネック部２９がクラウン部１７より上方に突出して形成されており、シャフト１１に対し後方にヘッド１３の重心を設定するため、該ネック部２９は、少なくとも一部が前記フェース部２７より打球方向側に膨出するグースネックとされている。尚、ネック部２９は打球方向側に膨出する形状であればよく、ネック形状は任意である。
【００２１】
また、図１中、３１はネック部２９とシャフト１１との連結部位に装着された樹脂製のリングで、該リング３１はテーパ状に形成されている。
【００２２】
而して、本実施形態は、上述した構成に加え、図１に示すようにヘッド１３の仕上げを、ヘッド１３の前方と後方で明度の高い部分３５と明度の低い部分３７とで変化させたことを特徴としており、先ず、ヘッド１３のトゥ側からヒール側に亘るフェース部２７上部のトップライン３３を境に、フェース部２７側を明度の高い部分３５とし、クラウン部１７側を明度の低い部分３７としてトップライン３３上に明度境界ライン３９が形成されている。
【００２３】
明度の高い部分３５と明度の低い部分３７との差は、明度を１２段階に区分したとき、３段階以上、好ましくは４段階以上差をつけるとよい。
【００２４】
そして、該明度境界ライン３９は、トップライン３３からネック部２９の先端まで直線状に延長形成され、更に、図３に示すように明度境界ライン３９が、ネック部２９に挿着されたシャフト１１の全長に亘ってシャフト軸芯Ｓと平行に直線状に延長形成されている。
そして、図１及び図３の如くアドレス時にヘッド１３の向きを打球方向に適正に構えたとき、トップライン３３上の水平方向の明度境界ライン３９と、ネック部２９及びシャフト１１上の垂直方向のトップライン３９が上方からの平面視で一直線上に視認できると共に、ヒール側下方（ネック部２９下方）を含むフェース部２７全体と、トゥ，ヒール方向に亘るソール部前端４１が視認できるようになっている。
【００２５】
また、この適正なアドレス時に、シャフト１１上に形成された明度境界ライン３９は、図３に示すようにシャフト軸芯Ｓよりも打球方向側に配置されている。
【００２６】
而して、ヘッド１３側の明度の高い部分３５は、ヘッド本体２３とフェースプレート２５の金属の素材の色を活かして、フェース部２７全体が明るい金属色で配色され、そして、該フェース部２７のヒール側下方からネック部２９の先端まで同様の金属色で仕上げて明度境界ライン３９を形成している。
【００２７】
また、シャフト１１側の明度の高い部分３５は、ヘッド１３側の金属色に合わせた配色が施され、更にリング３１にも同様な配色が施されている。
【００２８】
一方、明度の低い部分３７は、ヘッド本体２３とシャフト１１，リング３１の外周を黒色または濃い茶系色や濃いグリーン等の色に塗装して仕上げたもので、本実施形態は、トップライン３３と認識できる明度境界ライン３９をネック部３７からシャフト１１まで一直線上に延長形成して、該明度境界ライン３９を境に仕上げを明度の高い部分３５と明度の低い部分３７とで変化させたことを特徴としている。
【００２９】
尚、アドレス時にフェアウェイウッド１５を操作しているとき、上方からの平面視で前記明度境界ライン３９以外の明度境界ラインが目に入らぬように、例えば図５の如くネック部２９の裏面側の明度境界ライン３９-1をサイド部１９からソール部２１のバック側へ傾斜させたり、図６の如くヘッド本体２３のサイド部１９の明度の低い部分３７のトゥ側下部を斜め下方に傾斜させて、トップライン３３の明度境界ライン３９に連なる明度境界ライン３９-2が、図１の如き上方からの平面視で目に入らぬようになっている。
【００３０】
更に、図８及び図９に示すようにサイド部１７のバック側も、サイド部１７の最大膨出部分より下側まで明度の低い部分３７で仕上げられて、図１の如き上方からの平面視でバック側の明度境界ライン３９-3が目に入らぬように形成されている。
【００３１】
本実施形態はこのように構成されているから、アドレス時にトップライン３３上の明度境界ライン３９と、ネック部２９及びシャフト１１上のトップライン３９が上方からの平面視で視認できる。そして、トップライン３３上の水平方向の明度境界ライン３９と、ネック部２９及びシャフト１１上の垂直方向の明度境界ライン３９はいわば側面視略く字状に配置されたカギ型となっているから、ヘッド１３の向きが打球方向に適正に構えられていないとき、トップライン３３上の明度境界ライン３９とネック部２９の明度境界ライン３９が平面視く字状に視認される。
【００３２】
そして、ヘッド１３の向きを打球方向に適正に構えたとき、図１及び図３に示すようにトップライン３３上の明度境界ライン３９と、ネック部２９及びシャフト１１上のトップライン３９が上方からの平面視で一直線上に視認できるため、ゴルファーはヘッド１３の向きが打球方向に対して適正であると認識できる。
【００３３】
このように本実施形態によれば、アドレス時にトップライン３３上の明度境界ライン３９と、ネック部２９及びシャフト１１上の垂直方向のトップライン３９が上方からの平面視で一直線上に視認できるように構えることで、ヘッド１３を打球方向に対し適正に構えることができる（方向を出すことができる）と共に、ネック部２９がグースネックであっても、ネック部２９下方を含むフェース部２７全体とトゥ，ヒール方向に亘るソール部前端４１が視認できて広いフェース面が見えるため、安心して構えることができ打ち易いフェアウェイウッド１５となった。
【００３４】
尚、前記実施形態は、トップライン３３上に明度境界ライン３９を形成したが、明度境界ライン３９をトップライン３３に沿ってその前後に若干ずらしてもよい。但し、明度境界ライン３９をトップライン３３の後方にずらした場合でも、グース量を必要最少限にして構え易く視認し易くするため、明度境界ライン３９はシャフト軸芯Ｓよりもフェース部２７側に形成するのが好ましい。
【００３５】
また、本発明は、ネック部をグースネックとしたドライバーやウッドのユーティリティークラブにも適用可能である。
【図面の簡単な説明】
【００３６】
【図１】請求項１乃至請求項３の一実施形態に係るフェアウェイウッドの平面図である。
【図２】フェアウェイウッドの正面図である。
【図３】フェアウェイウッドの平面図である。
【図４】ヘッドの平面図である。
【図５】ヘッドの側面図である。
【図６】ヘッドの側面図である。
【図７】ヘッドの正面図である。
【図８】ヘッドの背面図である。
【図９】ヘッドの底面図である。
【図１０】従来のウッドタイプのゴルフクラブの平面図である。
【符号の説明】
【００３７】
１１  シャフト
１３  ヘッド
１５  フェアウェイウッド
１７  クラウン部
１９  サイド部
２１  ソール部
２３  ヘッド本体
２７  フェース部
２９  ネック部
３３  トップライン
３５  明度の高い部分
３７  明度の低い部分
３９，３９-1，３９-2，３９-3  明度境界ライン
４１  ソール部前端
【図１】
2009034227.tif 000003
【図２】
2009034227.tif 000004
【図３】
2009034227.tif 000005
【図４】
2009034227.tif 000006
【図５】
2009034227.tif 000007
【図６】
2009034227.tif 000008
【図７】
2009034227.tif 000009
【図８】
2009034227.tif 000010
【図９】
2009034227.tif 000011
【図１０】
2009034227.tif 000012